【事件の表示】
　特願２００４−２６８６５５「画像ファイル・プリント装置」拒絶査定不服審判事件〔平成１７年　３月１０日出願公開、特開２００５−　６５３０８〕について、次のとおり審決する。
【結　論】
　本件審判の請求は、成り立たない。
【理　由】
１．手続の経緯
　本願は、平成８年４月１９日に出願した特願平８−１２０７７８号の一部を平成１６年９月１５日に新たに特許出願したものであって、平成１９年４月１０日付けで拒絶査定がなされ、これに対して、同年５月１４日に拒絶査定に対する審判請求がされるとともに、同日付けで手続補正がなされたものである。
　
２．平成１９年５月１４日付けの手続補正についての補正却下の決定
［補正却下の決定の結論］
　平成１９年５月１４日付けの手続補正を却下する。
　
［理由］
２−１．補正後の特許請求の範囲の記載
　平成１９年５月１４日付けの手続補正（以下、「本件補正」という。）により、特許請求の範囲の請求項１の記載は、以下のとおり補正された。
　
「ディジタル媒体を装着する装着手段が複数設けられ，
　画像ファイル・プリント装置を用いて行うサービスに合った第１の区画
と，ユーザによってタッチされた上記第１の区画に合った操作を誘導するガイダンスと，上記複数のディジタル媒体にそれぞれ対応した複数の第２の区画と，複数のディジタル媒体のうちユーザによってタッチされた上記第２の区画に対応したディジタル媒体の装着操作を誘導するガイダンスと，印刷枚数を入力する第３の区画とを表示する表示装置，
　上記表示されたサービスに合った第１の区画から，画像ファイル・プリント装置を用いて行うサービスの内容を設定する設定手段，ならびに
　タッチされた第２の区画に対応して装着された上記ディジタル媒体に記録されているディジタル画像データを読み取るディジタル媒体読取手段，
　上記ディジタル媒体読取手段によって読み取られたディジタル画像データにより表される画像を
装飾し，装飾された画像について
　上記設定手段によって設定されたサービスの内容
，上記装飾された画像の装飾タイプ
　を備えた画像ファイル・プリント装置。」
（下線部が補正箇所である。）
　
２−２．新規事項について
　本件補正前の平成１８年７月１４日付けの手続補正書の特許請求の範囲の請求項１の記載において、「画像プリンタ」に関する記載は次のとおりである。
「上記ディジタル媒体読取手段によって読み取られたディジタル画像データにより表される画像を，ユーザによって入力された印刷枚数のプリントをする画像プリンタ」
　出願当初の特許請求の範囲及び明細書において、「画像プリンタ」について以下の記載がなされている。
　
（１）「【請求項２】
　複数のディジタル媒体を装着する装着手段をさらに備え，
　上記表示装置が，上記複数のディジタル媒体に合った第３の区画を表示
し，ユーザに合った操作を誘導するガイダンスをさらに表示するものであ
り，
　装着された上記ディジタル媒体に記録されているディジタル画像データを読み取るディジタル媒体読取手段，および
　上記ディジタル媒体読取手段によって読み取られたディジタル画像データにより表される画像を，ユーザによって入力された印刷枚数のプリントをする画像プリンタ，
　をさらに備えた請求項１に記載の画像ファイル・プリント装置。」
　
（２）「【００１０】
　また，装着された上記ディジタル媒体に記録されているディジタル画像
データを読み取るディジタル媒体読取手段，および上記ディジタル媒体読取手段によって読み取られたディジタル画像データにより表される画像を，
ユーザによって入力された印刷枚数のプリントをする画像プリンタがさらに備えられる。」
　
（３）「【００４５】
　画像ファイル・プリント装置には，合成した画像その他の情報を表示するための表示装置33，表示装置33のインタフェイス（ビデオ・インタフェイ　ス）34，表示装置33の表示画面上に配置されユーザからの指令を受付けるタッチパネル32，タッチパネル・インタフェイス31，画像データを一旦記憶する画像メモリ35，ＳＣＳＩ（Small Computer System Interface ）36，プリンタ37，磁気ディスクを駆動するフロッピー・ディスク・ドライバ39，ハード・ディスク・ドライバ40，光磁気ディスク・ドライバ46，メモリ・カード・リーダ47が含まれている。また画像ファイル・プリント装置には新写真フイルム，従来タイプの写真フイルムまたは写真に表わされた画像を読取るスキャナ42（新写真フイルムが入力媒体の場合にはスキャナ42は図４に示す構成のものとなろう。），スキャナ・インタフェイス43，画像データによって表わされる画像を拡大および縮小する拡大縮小回路44，およびデータを一時的に記憶するＲＡＭ45が含まれている。」
（審決注：「フロッピー」は登録商標）
　
（４）「【００５２】
　プリンタ37は，与えられる画像データによって表わされる画像をプリントする。」
　
（５）「【００５６】
　テンプレート画像データには，表示装置33の表示画面に表示される合成画像を生成するときに用いられる画面表示用テンプレート画像データと，プリンタ37を用いて合成画像を印刷するときに用いられ，画面表示用テンプレート画像データよりも高解像度の印刷用テンプレート画像データとがある。このためにテンプレート画像データ記録領域には画面表示用テンプレート画像データ記録領域と印刷用テンプレート画像データ記録領域とが含まれてい　る。画面表示用テンプレート画像データ記録領域および印刷用テンプレート画像データ記録領域に画面表示用テンプレート画像データおよび印刷用テンプレート画像データが記録されている。」
　
（６）「【０１１０】
　図29に示す印刷中表示画面が表示されている間にプリンタ37により印刷が行なわれる（ステップ74）。印刷は上述した画像メモリ35に記録された印刷用合成画像データを用いて行なわれる。印刷時には，高解像度の印刷用のテンプレート画像データおよび印刷用マスク画像データを用いているので高品質の合成画像を印刷できる。合成画像を表わすデータは，ハード・ディス
ク，フロッピィ・ディスクなどに記録しておいてもよい。これにより合成画像を表わすデータを再び読出し，再び合成画像を比較的簡単に得ることができる。」
　
　上記のように、「画像プリンタ」が装飾された画像といえる「印刷用合成画像データ」を印刷することは記載されているが、「画像プリンタ」が画像を装飾する機能については、何らの記載もない。
　また、「画像プリンタ」が画像を装飾することを示唆する記載もないし、出願当初の図面の記載についても同様であり、「画像プリンタ」が画像を装飾することは自明なことではない。
　したがって、本件補正において
「上記ディジタル媒体読取手段によって読み取られたディジタル画像データにより表される画像を
装飾し，装飾された画像について
とする点は、出願当初の特許請求の範囲、明細書、又は図面に記載した事項の範囲内においてしたものではない。
　
２−３．むすび
　上記のとおり、本件補正は、特許法第１７条の２第３項の規定に違反するので、同法第１５９条第１項において読み替えて準用する同法第５３条第１項の規定により却下すべきものである。
　
２−４．補正の目的についての備考
　本件補正及び本件補正前の平成１８年７月１４日付けの手続補正書の特許請求の範囲の請求項３の記載は次のとおりである。（記載自体は補正前後で同じである。）
　
「　【請求項３】
　上記ディジタル媒体読取手段によって読み取られたディジタル画像データにより表される画像を，拡大，縮小，回転，テンプレート画像への貼り付
け，色変換処理の少なくとも１つを含む画像加工処理を行う画像処理手段，
　をさらに備えた請求項１に記載の画像ファイル・プリント装置。」
　
　出願当初の特許請求の範囲の請求項４の記載は次のとおりである。
　
「【請求項４】
　複数のディジタル媒体を装着する装着手段をさらに備え，
　上記表示装置が，上記複数のディジタル媒体に合った第３の区画を表示
し，ユーザに合った操作を誘導するガイダンスをさらに表示するものであ
り，
　装着された上記ディジタル媒体に記録されているディジタル画像データを読み取るディジタル媒体読取手段，および
　上記ディジタル媒体読取手段によって読み取られたディジタル画像データにより表される画像を，拡大，縮小，回転，テンプレート画像への貼り付
け，色変換処理の少なくとも１つを含む画像加工処理を行う画像処理手段，
　をさらに備えた請求項１に記載の画像ファイル・プリント装置。」
　
　出願当初の明細書には以下の記載がなされている。
　
（７）「【００５９】
　さらにこの実施例による画像ファイル・プリント装置では同一のテンプ
レートのタイプの中であってもさらに複数の異なる装飾のタイプをもつテンプレートがある。たとえばデコレーションのテンプレートであって，かつ被写体画像を３駒横に配置する場合でも異なるタイプの装飾がある（たとえば結婚式用の装飾など）。この装飾のタイプごとにテンプレート画像データが記憶されている。」
　
（８）「【００６６】
　このような合成情報は，種類，タイプおよび装飾タイプがすべて定まり最終的に規定されたテンプレート画像データに対応して合成情報記録領域に，コード・データとして記録されている。」
　
（９）「【００９４】
　このようにテンプレートの種類，タイプおよび装飾タイプすべてを選択することにより，画像合成に用いられるテンプレートが特定される。選択された，テンプレートの種類，タイプおよび装飾タイプを表わすデータもＲＡＭ45に記憶される（ステップ65）。
【００９５】
　使用すべきテンプレートが特定されると，テンプレート画像データのデータ伸長，テンプレートに合成すべき被写体画像の選択，テンプレート画像への被写体画像の合成，印刷用合成画像データの生成処理が行なわれる（ス
テップ66）。」
　
（１０）「【０１０５】
　対象画像の合成範囲（合成既定範囲）部分が抽出される。表示装置33の表示画面上における画像合成において得られた位置指定および位置情報にもとづいて画像合成処理が行われる。合成すべき対象画像が複数あるときには上記の処理が繰返される。これにより印刷用の合成画像データが得られ，画像メモリ35に記憶される。」
　
　上記（７）ないし（１０）の記載から、「装飾」には少なくともテンプ
レート画像へ被写体画像の合成を行う画像加工処理が含まれるといえ、それにより「印刷用合成画像データ」が得られものであり、装飾タイプを表わすデータが「ＲＡＭ45」に記憶され、印刷用の合成画像データが「画像メモリ35」に記憶されるのであるから、「装飾」は「画像プリンタ」ではなく、
「画像処理手段」のような他の手段によってなされるものといえる。
　そこで、本件補正の
「上記ディジタル媒体読取手段によって読み取られたディジタル画像データにより表される画像を
装飾し，装飾された画像について
の記載は、たとえば
「上記ディジタル媒体読取手段によって読み取られたディジタル画像データにより表される画像を装飾する画像処理手段、および
　上記画像処理手段によって装飾された画像について，ユーザによって入力された印刷枚数のプリントをする画像プリンタ」
とするべきところを誤ってしたものとして、その補正の目的について一応の検討を以下に示す。
　請求項１の「画像プリンタ」の記載を上記のようにすると、請求項３の記載もそれに整合させるため、例えば、
「　【請求項３】
　上記画像処理手段は、上記ディジタル媒体読取手段によって読み取られたディジタル画像データにより表される画像を，拡大，縮小，回転，テンプレート画像への貼り付け，色変換処理の少なくとも１つを含む画像加工処理を行う画像処理手段，
　である請求項１に記載の画像ファイル・プリント装置。」
とする必要がある。
　上記
「上記ディジタル媒体読取手段によって読み取られたディジタル画像データにより表される画像を装飾する画像処理手段、および
　上記画像処理手段によって装飾された画像について，ユーザによって入力された印刷枚数のプリントをする画像プリンタ」
との点は、出願当初の特許請求の範囲の請求項４の記載等に基づくものであるから、新規事項の追加にはあたらない。
　しかし、「上記ディジタル媒体読取手段によって読み取られたディジタル画像データにより表される画像を装飾する画像処理手段」は補正前の請求項３の「画像処理手段」を拡張するものであり、「上記ディジタル媒体読取手段によって読み取られたディジタル画像データにより表される画像を装飾する画像処理手段」を付加することにより請求項１の記載が減縮されるものであっても、そのような減縮は補正前の発明を特定する事項を限定することによりなされるものではない。
　また、請求項の削除、誤記の訂正、又は拒絶理由通知に係る拒絶の理由に示す事項についてする明りようでない記載の釈明でないことは明らかであ
る。
　したがって、本件補正が仮に上記の
「上記ディジタル媒体読取手段によって読み取られたディジタル画像データにより表される画像を装飾する画像処理手段、および
　上記画像処理手段によって装飾された画像について，ユーザによって入力された印刷枚数のプリントをする画像プリンタ」
のように、新規事項の追加にあたらないものであったとしても、そのような補正は、平成１８年法律第５５号改正附則第３条第１項によりなお従前の例によるとされる同法による改正前の特許法第１７条の２第４項各号のいずれの目的にも該当しない。
　
３．本願発明について
３−１．本願発明
　平成１９年５月１４日付けの手続補正は上記のとおり却下されたので、本願の請求項１に係る発明（以下、「本願発明」という。）は、平成１８年７月１４日付けの手続補正書の特許請求の範囲の請求項１に記載された事項により特定される、以下のとおりのものである。
　
「ディジタル媒体を装着する装着手段が複数設けられ，
　画像ファイル・プリント装置を用いて行うサービスに合った第１の区画
と，ユーザによってタッチされた上記第１の区画に合った操作を誘導するガイダンスと，上記複数のディジタル媒体にそれぞれ対応した複数の第２の区画と，複数のディジタル媒体のうちユーザによってタッチされた上記第２の区画に対応したディジタル媒体の装着操作を誘導するガイダンスと，印刷枚数を入力する第３の区画とを表示する表示装置，
　上記表示されたサービスに合った第１の区画から，画像ファイル・プリント装置を用いて行うサービスの内容を設定する設定手段，ならびに
　タッチされた第２の区画に対応して装着された上記ディジタル媒体に記録されているディジタル画像データを読み取るディジタル媒体読取手段，
　上記ディジタル媒体読取手段によって読み取られたディジタル画像データにより表される画像を，ユーザによって入力された印刷枚数のプリントをする画像プリンタ，および
　上記設定手段によって設定されたサービスの内容およびユーザによって第３の区画を用いて入力された印刷枚数が印刷されるレシート・プリンタ，
　を備えた画像ファイル・プリント装置。」
　
３−２．引用例
　原査定の拒絶の理由に引用された特開平７−１８４０３２号公報（以下、引用例という。）には、図面とともに以下の記載がなされている。
　
（１１）「【特許請求の範囲】
【請求項１】　複数枚の画像から当該画像を１枚の用紙に像形成してなるアルバムプリントの作成を行なうアルバムプリント装置であって、料金を徴収する料金徴収手段と、上記画像を読み取る画像読取手段と、読み取られた複数枚の画像を記憶する画像記憶手段と、文字情報を入力する入力手段と、上記複数枚の画像の上記用紙におけるレイアウトを指示するレイアウト指示手段と、指示されたレイアウトに基づき上記複数枚の画像及び文字情報からアルバムプリント用の画像を生成するプリント画像生成手段と、生成されたアルバムプリント用の画像を上記用紙にプリントアウトするプリント手段と、アルバムプリントの作成枚数をカウントする枚数カウント手段と、アルバムプリント枚数から徴収すべき利用料金を演算する料金演算手段と、上記料金徴収手段からの信号によりアルバムプリントの作成動作を開始させ、上記料金演算手段により演算された利用料金を徴収し、アルバムプリントの作成動作を停止させる制御手段とを備えたことを特徴とするアルバムプリント装
置。」
　
（１２）「【００１１】
【実施例】図１は、本発明に係るアルバムプリント装置のブロック構成図である。アルバムプリント装置１は、ユーザーが所定の料金を支払うことに
よって自己の所有する現像済フィルムの写真画像やフロッピーディスクや光磁気ディスク等の記録媒体に記憶された画像から複数の画像を選択してアルバムプリントを作成することができるようになっている。
【００１２】また、ユーザーは、アルバムプリント作成に当たり、各画像のレイアウト編集、アルバムプリントの余白部の装飾、各画像の画質の補正、文字情報の追加及びＣＧ（Computer Graphics）との合成等の各種の処理を選択的に行なうことができるようになっている。
【００１３】アルバムプリント装置１は、現像済フィルムＦの各駒の画像
（以下、フィルム画像という）を読み取るフィルム画像読取部２、フロッ
ピーディスクＦＤ、コンパクトディスクＣＤ及び光磁気ディスクＭＯ等の記録媒体に記録されたデジタル信号からなる画像（以下、デジタル画像とい
う）を読み取るデジタル画像読取部３、用紙に描かれた画像を読み取るイ
メージスキャナー部４、アルバムプリント作成処理に必要な各種のデジタル画像が記録されたデータベース５、プリントに関する諸条件やアルバムプリントに追加する文字情報を入力する入力部６、上記画像読取部２，３及びイメージスキャナー部４から入力された複数の画像及び上記入力部６から入力された文字情報からアルバムプリント画像を生成する画像処理部７、該画像処理部７で生成されたアルバムプリント画像を用紙にプリントアウトするプリンタ部８、料金を入力する料金入力部９、作業手順、利用内容その他の情報を表示する表示部１１及び上記各部２〜９，１１の動作を統括制御する制御部１０から構成されている。
【００１４】上記料金入力部９は、コイン及び紙幣の投入口を有し、該投入口に現金が投入されると、この投入金額をカウントし、そのカウント結果を上記制御部１０に送出する。また、カード挿入口を有し、該カード挿入口にクレジットカードやプリペイドカードが挿入されると、カードに記録されたＩＤ番号や料金残額等の情報を読み取り、この情報を上記制御部１０に送出する。制御部１０は、後述するように、入力された料金に応じてアルバムプリント作成のサービス提供を制御する。
【００１５】上記入力部６は、キーボード及びマウス等の操作部材を有し、これらの操作部材を操作して現像済フィルムＦ及び記録媒体ＦＤ，ＭＯ，ＣＤの選択、プリントすべき駒番号や画像のファイルナンバー、選択された各画像に対応して記録された、例えばタイトル、撮影場所等のプリントすべき文字情報、選択された各画像のレイアウトフォーマットにおけるプリント位置の指定、施すべき画質補正の条件、アルバムプリントの余白部の装飾（以下、余白装飾という）の指定及びアルバムプリントの枚数等のアルバムプリント作成処理に関する各種条件（以下、アルバムプリント条件という）が入力されるようになっている。
【００１６】入力部６から入力されたアルバムプリント条件は制御部１０に送出され、制御部１０は、このアルバムプリント条件に基づき所定のアルバムプリント作成動作の制御を行なう。」
（審決注：「フロッピー」は登録商標）
　
（１３）「【００１８】上記表示部１１は、ＣＲＴ（Cathode Ray Tube）、ＬＣＤ（Liquid Crystal Display）等の表示装置からなり、表示部１１に
は、サービス提供に当たり、本装置の利用方法に関する一般的なガイドが表示されるほか、アルバムプリント作成時には、ユーザーがアルバムプリント条件を入力するための各種条件のメニュー表示やアルバムプリントのモニタ表示が行なわれる。
【００１９】例えば、後述するレイアウト編集においては、表示部１１にアルバムプリントの用紙を示す領域、カーソル及び予め設定されたレイアウトフォーマットのメニュー等が表示される。ユーザーは、入力部６を操作してカーソルにより所望のレイアウトフォーマットを選択することができ、入力部６から選択したレイアウトフォーマット内の画像の表示位置にそれぞれプリントすべき画像を設定する。
【００２０】また、ユーザによりプリントすべき画像が設定されると、これらの画像が選択されたレイアウトフォーマットに従って合成されたアルバムプリントの画像が上記表示部１１にモニタ表示される。そして、ユーザー
は、このモニタ表示を見ながらアルバムプリントの構成を自由に設定することができるようになっている。
【００２１】また、余白部装飾処理においては、上記表示部１１に予め設定された装飾用の模様パターンがメニュー表示され、ユーザーは、上述のレイアウトフォーマットの選択操作と同様の方法により模様パターンの選択ができるようになっている。そして、模様パターンが設定されると、モニタ表示されたアルバムプリントの画像の余白部に設定された模様パターンが合成表示される。
【００２２】また、画質補正処理においては、画像の濃度や鮮鋭度のレベルが表示され、ユーザーは、入力部６を操作して画質の補正量を変更することができるようになっている。表示部１１には、画質補正量の設定に応じて画質補正されたアルバムプリントのモニタ画像が表示され、ユーザーが画質の補正量を視覚的に確認することができるようになっている。」
　
　したがって、引用例には次の発明（以下、「引用発明」という。）が記載されているといえる。
　
「ＦＤ、ＣＤ及びＭＯ等の記録媒体に記録されたデジタル画像を読み取るデジタル画像読取部３、
　記録媒体ＦＤ，ＭＯ，ＣＤの選択、各画像のレイアウト編集、アルバムプリントの余白部の装飾、各画像の画質の補正、文字情報の追加及びＣＧ（Computer Graphics）との合成等の各種の処理を選択的に行なうための指定、アルバムプリントの枚数等のアルバムプリント作成処理に関する各種条件が入力される入力部６、
　サービス提供に当たり、装置の利用方法に関する一般的なガイドが表示されるほか、アルバムプリント作成時には、ユーザーがアルバムプリント条件を入力するための各種条件のメニュー表示やアルバムプリントのモニタ表示が行なわれる、作業手順、利用内容その他の情報を表示する表示部１１、
　アルバムプリント画像を生成する画像処理部７、
　該画像処理部７で生成されたアルバムプリント画像を用紙にプリントアウトするプリンタ部８、
　料金を入力する料金入力部９、
　を備えたアルバムプリント装置。」
　
３−３．対比
　引用発明はＦＤ、ＣＤ及びＭＯ等の記録媒体に記録されたデジタル画像を読み取り、アルバムプリント画像を生成し、用紙にプリントアウトするアルバムプリント装置であるから、画像ファイル・プリント装置といえる。
　引用発明は「ＦＤ、ＣＤ及びＭＯ等の記録媒体に記録されたデジタル画像を読み取るデジタル画像読取部３」を備えているから、少なくともＦＤ、ＣＤ及びＭＯの記録媒体を装着する手段が各記録媒体毎に設けられているはずである。
　引用発明の「各画像のレイアウト編集、アルバムプリントの余白部の装
飾、各画像の画質の補正、文字情報の追加及びＣＧ（Computer Graphics）との合成等の各種の処理」は本願発明の「画像ファイル・プリント装置を用いて行うサービス」に対応し、引用発明の「表示部１１」は「サービス提供に当たり、本装置の利用方法に関する一般的なガイドが表示されるほか、アルバムプリント作成時には、ユーザーがアルバムプリント条件を入力するための各種条件のメニュー表示」が行なわれ、本願発明の「表示装置」において、「画像ファイル・プリント装置を用いて行うサービスに合った第１の区画」を表示することもメニュー表示といえるから、両者は、画像ファイル・プリント装置を用いて行うサービスに合ったメニュー表示、及びガイダンス表示を行う機能の点で共通する。
　引用発明は「各画像のレイアウト編集、アルバムプリントの余白部の装
飾、各画像の画質の補正、文字情報の追加及びＣＧ（Computer Graphics）との合成等の各種の処理を選択的に行なう」ものであり、「ユーザーがアルバムプリント条件を入力するための各種条件のメニュー表示」がなされるのであるから、表示されたサービスに合った，画像ファイル・プリント装置を用いて行うサービスの内容を設定する点で、本願発明の「設定手段」の機能と共通する。
　引用発明は「ＦＤ、ＣＤ及びＭＯ等の記録媒体に記録されたデジタル画像を読み取るデジタル画像読取部３」及び記録媒体ＦＤ，ＭＯ，ＣＤの選択が入力される「入力部６」を備えているから、選択されたディジタル媒体に記録されているディジタル画像データを読み取る点で、本願発明の「ディジタル媒体読取手段」の機能と共通する。
　引用発明は「デジタル画像読取部３」、「画像処理部７」、及び「プリンタ部８」を備えているから、ディジタル媒体読取手段によって読み取られたディジタル画像データにより表される画像のプリントをする点で、本願発明の「画像プリンタ」の機能と共通する。
　したがって、本願発明と引用発明とを対比すると、次の点で一致する。
　
「ディジタル媒体を装着する装着手段が複数設けられ、
　画像ファイル・プリント装置を用いて行うサービスのメニュー表示、及びガイダンス表示を行う表示装置、
　上記表示されたサービスに合った、画像ファイル・プリント装置を用いて行うサービスの内容を設定する設定手段、ならびに
　選択されたディジタル媒体に記録されているディジタル画像データを読み取るディジタル媒体読取手段、
　上記ディジタル媒体読取手段によって読み取られたディジタル画像データにより表される画像のプリントをする画像プリンタ、
　を備えた画像ファイル・プリント装置。」
　
　また次の点で相違する。
　
　相違点１
　本願発明は、「画像ファイル・プリント装置を用いて行うサービスに合った第１の区画」と「ユーザによってタッチされた上記第１の区画に合った操作を誘導するガイダンス」とを「表示装置」で表示し、「設定手段」は、その「第１の区画」から、画像ファイル・プリント装置を用いて行うサービスの内容を設定するものであるのに対して、引用発明ではメニュー表示は行うものの具体的な形態の特定はなく、サービス提供に当たり、装置の利用方法に関する一般的なガイドが表示されるが、「第１の区画」に合った操作を誘導するガイダンスとの特定はなく、「第１の区画」からサービスの内容を設定するとの特定がない点。
　
　相違点２
　本願発明は、「複数のディジタル媒体にそれぞれ対応した複数の第２の区画」と「複数のディジタル媒体のうちユーザによってタッチされた上記第２の区画に対応したディジタル媒体の装着操作を誘導するガイダンス」とを
「表示装置」で表示し、「ディジタル媒体読取手段」は、タッチされた「第２の区画」に対応して装着されたディジタル媒体に記録されているディジタル画像データを読み取るものであるのに対して、引用発明では、記録媒体
ＦＤ，ＭＯ，ＣＤの選択は行うものの、それに関する表示については特定がなく、「デジタル画像読取部３」についても本願発明のようにタッチされた「第２の区画」に対応して読み取るとの特定がない点。
　
　相違点３
　本願発明は、「印刷枚数を入力する第３の区画」を「表示装置」で表示
し、「画像プリンタ」はユーザによって入力された印刷枚数のプリントをするものであるのに対して、引用発明では、アルバムプリントの枚数等のアルバムプリント作成処理に関する各種条件が入力され、ユーザーがアルバムプリント条件を入力するための各種条件のメニュー表示がなされるものの、具体的な表示の特定はなく、「プリンタ部８」も入力された枚数のプリントを行うとの明示的な特定がない点。
　
　相違点４
　本願発明は、「上記設定手段によって設定されたサービスの内容および
ユーザによって第３の区画を用いて入力された印刷枚数が印刷されるレシート・プリンタ」を備えているのに対して、引用発明は「料金入力部９」を備えていることから、有料でプリントを行うものではあるがレシートに関する特定がない点。
　
３−４．相違点に対する判断
　相違点１について
　タッチパネルを備えた表示装置は周知のものであり、メニュー表示を項目毎に区画に分けて行い、その選択を区画にタッチすることにより行うことに格別の点はない。
　また、装置の利用方法に関するガイドの表示をどの程度行うかは設計事項といえる程度のことであり、本願発明が「ユーザによってタッチされた上記第１の区画に合った操作を誘導するガイダンス」とすることに格別の点はない。
　したがって、引用発明において、メニュー表示を本願発明のように「画像ファイル・プリント装置を用いて行うサービスに合った第１の区画」を表示するものとし、ガイドの表示を本願発明のように「ユーザによってタッチされた上記第１の区画に合った操作を誘導するガイダンス」とし、それにともない、その「第１の区画」から、画像ファイル・プリント装置を用いて行うサービスの内容を設定するものとすることに困難な点はない。
　
　相違点２について
　引用発明は、記録媒体ＦＤ，ＭＯ，ＣＤの選択をおこなうものであるか
ら、その選択のための表示やガイドの表示を行うことは、当業者であれば必要に応じて採用する設計事項といえる程度のことである。
　そして、上記相違点１について検討したとおりであるから、引用発明において、本願発明のように「上記複数のディジタル媒体にそれぞれ対応した複数の第２の区画」及び「複数のディジタル媒体のうちユーザによってタッチされた上記第２の区画に対応したディジタル媒体の装着操作を誘導するガイダンス」を表示するものとし、それにともない「デジタル画像読取部３」をタッチされた「第２の区画」に対応して読み取るものとすることに困難な点はない。
　
　相違点３について
　データを入力するための区画を表示することは周知のことであるから、引用発明において、「アルバムプリントの枚数」を入力するための区画を表示することに困難な点はない。
　また、「アルバムプリントの枚数」はアルバムプリント作成処理に関する条件として入力されるものであるから、その枚数のプリントをすることに困難な点はない。
　
　相違点４について
　物品を販売したり、有料でサービスを提供する場合にレシートを発行することは、普通に行われる常識的なことである。
　引用発明は「料金入力部９」を備えていることから明らかなように、有料で画像を用紙にプリントアウトするものであるから、レシートを発行することに格別の点はなく、その料金の明細の内容をどの程度とするかは、設計事項といえる程度のことである。
　画像を記録する場合にレシートを発行することは、たとえば原審の拒絶理由で引用された実願平２−５１５８８号（実開平４−１１５４７号）のマイクロフィルムに示されており、料金投入装置のない電子写真装置又は料金投入装置の接続された電子写真装置において、複写終了後にプリンタから自動的に複写料金の明細を印字出力すること、及び複写した記録紙のサイズと枚数を印字することが記載されており（明細書第４ページ、第４図等）、どのサイズに記録したかという複写サービスの処理の内容と印刷枚数が印刷されたレシートを発行するものといえる。
　レシートは、上記刊行物の料金投入装置のない電子写真装置のような場合は、請求書として機能し、料金投入装置の接続された電子写真装置のような場合は、領収書として機能するものといえる。
　本願発明は「レシート・プリンタ」を備えることは特定されているが、料金の徴収については特定がないから、それにより印刷されたものは請求書として機能するものとも、領収書として機能するものとも、どちらともいうことができる。
　したがって、引用発明の「料金入力部９」のかわりにレシートを発行する手段を設けるか、またはレシートを発行する手段をさらに備えることで、本願発明の「レシート・プリンタ」と同様のものとすることに困難な点はな
い。
　
　上述のように、引用発明において各相違点を本願発明のようにすることに困難な点はないから、本願発明は、引用発明に基づいて当業者が容易に発明をすることができたものである。
　
　なお、引用発明の「各画像のレイアウト編集、アルバムプリントの余白部の装飾、各画像の画質の補正、文字情報の追加及びＣＧ（Computer Graphics）との合成等の各種の処理」は、画像を装飾する処理といえるから、前記２．の補正却下の決定のとおり本件補正は却下されたが、仮に、画像を装飾する処理についての補正が適切に行われたものであるとしても、補正された発明も本願発明と同様に、引用発明に基づいて当業者が容易に発明をすることができたものといえる。
　
３−５．むすび
　以上のとおり、本願発明は、引用発明に基づいて、当業者が容易に発明をすることができたものであるから、特許法第２９条第２項の規定により特許を受けることができない。
　よって、結論のとおり審決する。